(57)【特許請求の範囲】
【請求項１】
内外両面を折り返して使用し、並びに口を塞ぐことのできる首部覆いを兼ねる帽子であり、それは、中空筒体状の覆い部を成し、且つ該覆い部上下側に貫通する開口を形成し、  該覆い部の上側開口近くに、二つの隣り合い並びに内外環状面を貫通する二つの穿孔を設け、該二つの穿孔に結束用の紐体を通し、且つ該紐体は自由に引き出して該覆い部の環状面周囲に巻き付けられる弾性体を備え、該穿孔より該覆い部の外に引き出された該弾性体の二端には分離自在に相互に結合される第一嵌合部及び第二嵌合体を設けることを特徴とする首部覆いを兼ねる帽子。
【請求項２】
前記の覆い部は保温通気性材質の布で製作することを特徴とする請求項１記載の首部覆いを兼ねる帽子。
【請求項３】
前記の覆い部の穿孔に近い箇所に弾性体を格納し定位させられるタグを設けることを特徴とする請求項１記載の首部覆いを兼ねる帽子。
【請求項４】
前記の弾性体はプラスチックまたはゴムの弾性力のある紐やリボンとすることを特徴とする請求項１記載の首部覆いを兼ねる帽子。
【請求項５】
前記第一嵌合部、及び第二嵌合体の対応する接合部分には、相対的に嵌合定位する凹孔及び突出体を設けることを特徴とする請求項１記載の首部覆いを兼ねる帽子。
【請求項６】
内外両面を折り返して使用し、並びに口を塞ぐことのできる首部覆いを兼ねる帽子であり、それは、中空筒体状の覆い部を成し、且つ該覆い部上下側に貫通する開口を形成し、  該覆い部の上側開口近くに、二つの隣り合い並びに内外環状面を貫通する二つの穿孔を設け、該二つの穿孔に結束用の紐体を通し、且つ該紐体は引っ張り伸ばすことが可能で、該覆い部の環状面周囲に巻き付ける弾性体を備え、該弾性体の二端はそれぞれ相互を巻き付けて結合することを特徴とする首部覆いを兼ねる帽子。
【請求項７】
前記の覆い部は保温通気性材質の布で製作することを特徴とする請求項６記載の首部覆いを兼ねる帽子。
【請求項８】
前記の覆い部の穿孔に近い箇所に弾性体を格納し定位させられるタグを設けることを特徴とする請求項６記載の首部覆いを兼ねる帽子。
【請求項９】
前記の弾性体はプラスチックまたはゴムの弾性力のある紐やリボンとすることを特徴とする請求項６記載の首部覆いを兼ねる帽子。
【発明の詳細な説明】
【技術分野】
【０００１】
本発明の提供する首部覆いを兼ねる帽子は、特に、内外両面を折り返して使用でき口を塞ぐことによりマルチ着用効果を達成する首部覆いを兼ねる帽子である。それは構成要素が少なく、簡単な設計で、容易な製造・加工・組み立て効果を備え、同時に快適着用及び高安全効果を有する。
【背景技術】
【０００２】
気候が涼しくなる季節では、身体を温める為に防寒用衣服を着用したり、頭、首、手等の各胴体や関節箇所に帽子、マフラー、手袋等を着用して寒さを防いでいる。現在、若い女性や男性間には、寒い季節にもＵネックやＶネック衣服を着用するのが流行しており、着心地がよく、センスが良く、同時に防寒効果を出す為に、襟ぐり部分にマフラー（スカーフ）を巻いている。しかし、マフラーを巻き付けた後でも、首部を完全に覆う所が明らかに不足している故、マフラーの隙間から冷たい風が吹き込み、身体に心地良さを与えられず、防寒効果には更に改善の余地が残されている。更に、一般の消費者は毛糸製帽子やマフラーの二種類の物品を購入して、頭部及び首部に着用して寒さを防いでいる。この方式での機能性及び代替性は劣っており、帽子及びマフラーの二物品を着用してこそ、頭部や首部を暖めることが可能となるので、その効果は劣り、コストもまた高く、携帯においては、面倒、不便である。そこで、該領域の者は単一筒状の首部頭部覆い両用帽子によって上述の欠点及び不足点を解決した。
【０００３】
図１０、図１１に、公知の首部頭部覆い両用帽子の立体外観図、使用時の立体外観図を示す。首部頭部覆い両用帽子Ａは中空の筒状であり、且つ上部縁の開口Ａ１環状面に二層の布で作り出された締付空間Ａ１１を形成し、紐Ｂを通し緩めたりきつくしたりして上部縁の開口Ａ１を調節し、並びに、紐Ｂを引っ張ったり締め付けた後、留め具Ｃで締め付け定位し、上部エッジの開口Ａ１を塞ぐことにより、首部頭部覆い両用帽子Ａにより形成された帽子構造を頭部に被せて寒さを防ぐ。また、使用状態においては、紐Ｂを緩めて上部エッジの開口Ａ１を開き、首部頭部覆い両用帽子Ａの上下開口Ａ１を開き、頭部に直接被せた後、首部位置に着用して寒さを防ぐことも可能である。
【０００４】
しかしながら、前述の首部頭部覆い両用帽子Ａは、頭部や首部に着用して防寒効果を達成できるが、下記のような未改善の欠点がやはり残されている。
（１）製造、加工、及び組み立て時、首部頭部覆い両用帽子Ａの上部縁の環状部分には二層布で貫通空間Ａ１１を作り出し紐Ｂを通さなければならないが、その製造、加工、及び組み立て過程が繁雑で困難な為、関連作業員のコスト高となり、製品の市場販売価格高となる一方、消費者の購入意欲を低下させている。
（２）紐Ｂを引っ張り締め付けた後、留め具Ｃを使って固定し、並びに上部縁の開口Ａ１を塞いで帽子構造を形成するが、この時、紐Ｂは垂れて帽子の外に露出している為、紐Ｂをうっかり引っ張ってしまったり引っ掛けた時、対応する髪が引っ張られたり首を捻挫する等の問題が発生し、安全性には改善の余地がある。
【０００５】
よって、いかに公知の欠点や不足点を解決するかが、該業界の者が改善すべき方向性である。
【発明の開示】
【発明が解決しようとする課題】
【０００６】
発明者は前述の欠点に鑑み、関連資料を収集し、多方面の評価や考慮、並びに、該業界において蓄積された長年の経験を基に絶え間なき試みと修正を加えて、終に本発明の誕生に至った。
【０００７】
本発明の主な目的は、次の首部覆いを兼ねる帽子を提供することにある。それは、中空の筒体状の覆い部自体を首部に直接着用して防寒するもので、また、覆い部１上部縁の開口箇所に二つの穿孔を貫設し、二つの穿孔内に順序に従い弾性体を備える紐体を繞設する。弾性体を覆い部の上部縁の外側周囲に巻き付けた後、弾性体の二端の第一嵌合部及び第二嵌合体を結合すると、覆い部は帽子構造となり、それを頭上に着用して防寒することにより、マルチ着用効果を備え、少ない構成要素、簡単な設計、及び、容易な製造・加工・組み立て効果を達成し、快適な着用及び高安全性効果も同時に達成する。
【０００８】
本発明の次の目的は、覆い部の弾性体二端を直接巻き付けて結合した時、覆い部は帽子構造を形成し、それを頭上に着用して防寒することにより、容易な操作、快適な着用、及び高安全性効果を実現する首部覆いを兼ねる帽子を提供することにある。
【課題を解決するための手段】
【０００９】
請求項１の発明は、内外両面を折り返して使用し、並びに口を塞ぐことのできる首部覆いを兼ねる帽子であり、それは、中空筒体状の覆い部を成し、且つ該覆い部上下側に貫通する開口を形成し、
該覆い部の上側開口近くに、二つの隣り合い並びに内外環状面を貫通する二つの穿孔を設け、該二つの穿孔に結束用の紐体を通し、且つ該紐体は自由に引き出して該覆い部の環状面周囲に巻き付けられる弾性体を備え、該穿孔より該覆い部の外に引き出された該弾性体の二端には分離自在に相互に結合される第一嵌合部及び第二嵌合体を設けることを特徴とする首部覆いを兼ねる帽子としている。
請求項２の発明は、前記の覆い部は保温通気性材質の布で製作することを特徴とする請求項１記載の首部覆いを兼ねる帽子としている。
請求項３の発明は、前記の覆い部の穿孔に近い箇所に弾性体を格納し定位させられるタグを設けることを特徴とする請求項１記載の首部覆いを兼ねる帽子としている。
請求項４の発明は、前記の弾性体はプラスチックまたはゴムの弾性力のある紐やリボンとすることを特徴とする請求項１記載の首部覆いを兼ねる帽子としている。
請求項５の発明は、前記第一嵌合部、及び第二嵌合体の対応接合部分には、相対的に嵌合定位する凹孔及び突出体を設けることを特徴とする請求項１記載の首部覆いを兼ねる帽子としている。
請求項６の発明は、内外両面を折り返して使用し、並びに口を塞ぐことのできる首部覆いを兼ねる帽子であり、それは、中空筒体状の覆い部を成し、且つ該覆い部上下側に貫通する開口を形成し、
該覆い部の上側開口近くに、二つの隣り合い並びに内外環状面を貫通する二つの穿孔を設け、該二つの穿孔に結束用の紐体を通し、且つ該紐体は引っ張り伸ばすことが可能で、該覆い部の環状面周囲に巻き付ける弾性体を備え、該弾性体の二端はそれぞれ相互を巻き付けて結合することを特徴とする首部覆いを兼ねる帽子としている。
請求項７の発明は、前記の覆い部は保温通気性材質の布で製作することを特徴とする請求項６記載の首部覆いを兼ねる帽子としている。
請求項８の発明は、前記の覆い部の穿孔に近い箇所に弾性体を格納し定位させられるタグを設けることを特徴とする請求項６記載の首部覆いを兼ねる帽子としている。
請求項９の発明は、前記の弾性体はプラスチックまたはゴムの弾性力のある紐やリボンとすることを特徴とする請求項６記載の首部覆いを兼ねる帽子としている。
【発明の効果】
【００１０】
本発明の首部覆いを兼ねる帽子は、マルチ着用効果を備え、少ない構成要素、簡単な設計、及び、容易な製造・加工・組み立て効果を達成し、快適な着用、高安全性効果も同時に達成することを特徴とする。
【発明を実施するための最良の形態】
【００１１】
図１、図２、図３に、本発明の立体外観図、部分拡大図、別の角度から見た立体外観図を示す。図面からはっきりわかる通り、本発明の首部覆いを兼ねる帽子は覆い部１及び紐体２により構成される。本案の主な構成要素及びその特徴は次に詳述する通りである。
【００１２】
覆い部１は保温通気性材質の布素材で製作し、且つ、覆い部１には中空筒体状を形成し、並びに覆い部１の上部縁に近い開口１１箇所に二つの相隣する穿孔１２を貫設する。
【００１３】
紐体２には穿孔１２内に貫通し定位する弾性体２１を設け、且つ、弾性体２１の二端には、穿孔１２外に位置し相対的に結合する第一嵌合部２２及び第二嵌合体２３を設ける。
【００１４】
前述の弾性体２１はプラスチックまたはゴム等の弾性力のある紐やリボンとする。
【００１５】
前述の構成要素を組立てる場合、先ず紐体２の弾性体２１を覆い部１の穿孔１２内に貫通させ、並びに弾性体２１の二端にはそれぞれ、二つの穿孔１２外に位置する第一嵌合部２２及び第二嵌合体２３を結合し、第一嵌合部２２、第二嵌合体２３を相互に結合する。並びに、別側の覆い部１内の弾性体２１を縫い目１３上のタグ１４内に隠すことにより、本発明の首部覆いを兼ねる帽子の全体配置が完成する。
【００１６】
また、前記の縫い目１３は覆い部１外側環状面上に設置することも可能であり、並びに、覆い部１の穿孔１２下方の縫い目１３に近い箇所に紐体２二端の第一嵌合部２２及び第二嵌合体２３を隠して定位させるタグ１４を設置することも可能である（図４参照）。
【００１７】
前述説明の第一嵌合部２２、第二嵌合体２３はプラスチック材質にて製作され、並びに、第一嵌合部２２端には、これに相対して第二嵌合体２３に凹設された凹孔２３１内に嵌入する突出体２２１を突設し、弾性作用を持たせたプラスチック材質本体によって緊密に結合定位させる。
【００１８】
図５、図６、図７に、本発明の別の実施例における立体外観図（１）、立体外観図（２）、及び立体外観図（３）を示す。図ではっきり理解できる通り、前述の構成要素を使用する場合、本発明の首部覆いを兼ねる帽子を首部、顔部、頭上に着用して寒さを防ぐ。首部に被る時、覆い部１内の弾性体２１をタグ１４内に隠す（図３参照）と、首部への着用が快適となり、覆い部１外に露出する弾性体２１、第一嵌合部２２、第二嵌合体２３部分は非常に短く、美観効果を備え、且つ、弾性体２１が引っ掛かったり引っ張られたりしない故、首部を締め付ける問題は起こらず、衣服やその他の異物に簡単に引っ掛かることがない効果を有する。
【００１９】
更に、首部覆いを兼ねる帽子は首部から顔部に引っ張り上げると、覆い部１はマスク構造を形成しての使用が可能となり、口や鼻を隔離して防寒し、冷たい空気の直接吸入防止効果を備える（図６参照）。
【００２０】
また、首部覆いを兼ねる帽子を頭上に着用する場合、紐体２の第一嵌合部２２、第二嵌合体２３を外し、更に、弾性体２１と共に第一嵌合部２２、第二嵌合体２３で覆い部１の上部縁外周囲に巻き付ける。この時覆い部１の上部縁は徐々に小さくなり一つに収縮する。覆い部１の上部縁の開口１１箇所には別に貫設した二つの相隣する穿孔１２を貫設してあり、第一嵌合部２２、第二嵌合体２３を結合すると、覆い部１の上部縁が塞がれ底部の開口１１が開かれた帽子構造を頭上に着用することが可能となる（図７参照）。また、覆い部１の上部縁の開口１１及び底部の開口１１が厚みのある二層布素材である故、着用時は更に暖かくなる。前記の第一嵌合部２２、第二嵌合体２３を結合して覆い部１の上部縁を塞ぐと、その締め付け効果は更に良好なものとなる。
【００２１】
図８に示す通り、本発明の覆い部１内外の環状面は全て使用できる。予め形成した帽子構造を折り返すと、その覆い部１内面は外面となり露出する。並びに覆い部１上部縁の突出物を内部に隠して使用者の頭部に着用する。
【００２２】
また、本発明で述べた第一嵌合部２２、第二嵌合体２３は主に、弾性体２１二端を結合する為のものであるが、該第一嵌合部２２、第二嵌合体２３はその他の相互を結合する同等効果構造に変更することも可能であり、弾性体２１の二端を覆い部１の上部縁に巻き付けた後に結ぶ方法で締め付ける（図２及び図９参照）場合は、第一嵌合部２２、第二嵌合体２３を省略して同様に巻き付け定位効果を達成できる。このような簡易修飾及び同等効果の構造変化により同等効果を達成するものは、全て本発明の特許請求の範囲内に含まれるものとする。
【００２３】
また、本発明の首部覆いを兼ねる帽子における覆い部１及び紐体２構造は、簡単な製造と加工を提供する特性を備え、並びに、紐体２には各部品が少なく、コスト低下効果を兼ね備える。首部覆いを兼ねる帽子を各形状に変化させて使用する場合、その紐体２の弾性体２１、第一嵌合部２２、及び第二嵌合体２３は、操作が非常に簡単で、且つ、弾性体２１を引っ掛けたり、引っ張られたりすることがなく首部を締め付ける問題が発生しない故、衣服、首部、頭髪、その他異物を引っ掛けることがなく、付加価値の向上及び防寒効果を兼ね備えた目的を達成する。
【００２４】
よって、本発明は主に、中空筒体状の覆い部１上部縁の開口１１箇所に紐体２を設け、この紐体２には覆い部１の上部縁を締め付ける弾性体２１を設計し、同時に弾性体２１は見えない所に隠される特性を持ち、着用を快適にする。並びに、弾性体２１が引っ掛けられ、引っ張られて着用している首部や頭部の安全性問題に影響するのを回避することができ、更に、構造間の製造、加工、組み立て、及び操作には低コスト、簡単使用の効果を備える。但し、前述は本発明の単なる実施例であり、本発明の特許請求の範囲を制限するものではない。よって、本発明の明細書及び図面内容を応用して為された簡易修飾や同等効果のある構造変化は全て、本発明の特許請求の範囲内に含まれることを明記する。
【００２５】
本発明の首部覆いを兼ねる帽子を使用する場合、公知の欠点は次の通り解決される。
【００２６】
本発明の構造設計は非常に簡単であり、中空筒体状の覆い部１自体を直接首部に着用して防寒できる。また、覆い部１上の穿孔１２には、弾性体２１を備える紐体２を貫通し、弾性体２１の二端には相互を結合する第一嵌合部２２、第二嵌合体２３を設け、弾性体２１で覆い部１の上部縁外側周囲を巻き付け、第一嵌合部２２と第二嵌合体２３を結合すると、覆い部１は帽子構造を形成する。これにより、多機能の首部覆いを兼ねる帽子は、少ない部品、簡単な設計、簡単な製造・加工・組み立て工程を実現し、着用上の快適感及び安全性を備えるものとなる。
【図面の簡単な説明】
【００２７】
【図１】本発明の立体外観図である。
【図２】本発明の部分拡大図である。
【図３】本発明を別の角度から見た立体外観図である。
【図４】本発明の実施例１に関する立体外観図である。
【図５】本発明の実施例２に関する立体外観図（１）である。
【図６】本発明の実施例２に関する立体外観図（２）である。
【図７】本発明の実施例２に関する立体外観図（３）である。
【図８】本発明の実施例３に関する立体外観図である。
【図９】本発明の実施例４に関する立体外観図である。
【図１０】公知の立体外観図である。
【図１１】公知物使用時の立体外観図である。
【符号の説明】
【００２８】
１  覆い部
１１  開口
１２  穿孔
１３  縫い目
１４  タグ
２  紐体
２１  弾性体
２２  第一嵌合部
２２１  突出体
２３  第二嵌合体
２３１  凹孔
Ａ  首部頭部覆い両用帽子
Ａ１  開口
Ａ１１  貫通空間
Ｂ  紐
Ｃ  留め具
【図１】
0004744566.tif 000002
【図２】
0004744566.tif 000003
【図３】
0004744566.tif 000004
【図４】
0004744566.tif 000005
【図５】
0004744566.tif 000006
【図６】
0004744566.tif 000007
【図７】
0004744566.tif 000008
【図８】
0004744566.tif 000009
【図９】
0004744566.tif 000010
【図１０】
0004744566.tif 000011
【図１１】
0004744566.tif 000012